【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
通信を行うための方法であって、
２つの単方向リングレットによって相互接続される２つ以上のリングノードを含むレイヤ２のリングネットワークを、前記リングノードのそれぞれの対を接続し且つそれぞれのトラフィック工学（ＴＥ）関連属性を有する複数の単方向ポイントツーポイントリンクとして表現するステップと、
前記ポイントツーポイントリンクの前記ＴＥ関連属性を、前記リングネットワークを含む通信ネットワークのルータに分配するステップと、
分配された前記ＴＥ関連属性を処理して、前記通信ネットワーク内の発信元ノードから宛先ノードまで前記リングネットワークを通過する最適なルーティング経路を決定するステップとを有することを特徴とする、通信を行うための方法。
【請求項２】
前記通信ネットワークが、マルチプロトコルラベルスイッチング（ＭＰＬＳ）ネットワークを有し、前記ＴＥ関連属性を処理する前記ステップが、前記最適なルーティング経路に沿ってラベルスイッチ経路（ＬＳＰ）を確立するステップを含む請求項１に記載の方法。
【請求項３】
前記リングノードの各々の前記対が、第１のノードと第２のノードとを有し、前記リングネットワークを複数の単方向ポイントツーポイントリンクとして表現する前記ステップが、各々の前記対について、
一方の前記単方向リングレットを介した前記第１のノードから前記第２のノードへの接続を表現する第１のポイントツーポイントリンクと、
もう一方の前記単方向リングレットを介した前記第１のノードから前記第２のノードへの接続を表現する第２のポイントツーポイントリンクと、
一方の前記単方向リングレットを介した前記第２のノードから前記第１のノードへの接続を表現する第３のポイントツーポイントリンクと、
もう一方の前記単方向リングレットを介した前記第２のノードから前記第１のノードへの接続を表現する第４のポイントツーポイントリンクとを規定するステップとを含む請求項１に記載の方法。
【請求項４】
リンクに関連する前記ＴＥ関連属性が、
前記リンクの最大帯域幅と、
前記リンクの最大保存可能帯域幅と、
前記リンク中で現在利用可能な帯域幅と、
前記リンクにより使用されるリングレットを表示する識別子と、
前記リンクが通過するホップの数と、
前記リンク上の往復時間（ＲＴＴ）の推定と、
前記リンク上のルーティング経路を通過するＴＥ関連コストを表示するトラフィックメトリックと、
ポリシー関連属性と、
前記リンクの管理連携部との少なくとも１つを有する請求項１に記載の方法。
【請求項５】
通信を行うための方法であって、
各々のトラフィックフローがレイヤ２のマルチアクセスネットワークのそれぞれの部分に制限されるような形で、ネットワーク資源が前記マルチアクセスネットワークを通じたトラフィックフローに割り当てられるように、前記レイヤ２のマルチアクセスネットワークを構成するステップと、
前記レイヤ２のマルチアクセスネットワークを、前記マルチアクセスネットワークのノードのそれぞれの対を接続し且つそれぞれのトラフィック工学（ＴＥ）関連属性を有する複数の単方向ポイントツーポイントリンクとして表現するステップと、
前記ポイントツーポイントリンクの前記ＴＥ関連属性を、前記マルチアクセスネットワークを含む通信ネットワークのルータに分配するステップと、
分配された前記ＴＥ関連属性を処理して、前記通信ネットワーク内の発信元ノードから宛先ノードまで前記マルチアクセスネットワークを通過する最適なルーティング経路を決定するステップとを有することを特徴とする、通信を行うための方法。
【請求項６】
前記ＴＥ関連属性を処理する前記ステップが、オープンショーテストパスファースト（ＯＳＰＦ）プロトコルを前記ＴＥ関連属性に適用するステップを含む請求項１〜５の何れか一項に記載の方法。
【請求項７】
前記リングノードの前記少なくとも１つが、オープンショーテストパスファーストトラフィック工学（ＯＳＰＦ−ＴＥ）プロトコルのアドバタイズメントメッセージを送信することによって、前記ポイントツーポイントリンクをアドバタイジングするように配置されている請求項６に記載の方法。
【請求項８】
前記ＴＥ関連属性を分配する前記ステップが、マスタノードとして機能する前記マルチアクセスネットワークの前記ノードの１つから前記ＴＥ関連属性の少なくとも一部の最新の値を取得するステップを含む請求項５に記載の方法。
【請求項９】
２つの単方向リングレットによって相互接続される２つ以上のリングノードを含むレイヤ２のリングネットワーク内のリングノードとして使用するための装置であって、前記装置は、
前記２つの単方向リングレット上で前記リングネットワークの他のリングノードと通信するように配置されたネットワークインタフェースと、
前記リングノードに接続される前記リングネットワークの少なくとも一部を、それぞれのトラフィック工学（ＴＥ）関連属性を有する複数の単方向ポイントツーポイントリンクとして表現し、前記通信ネットワーク内の発信元ノードから宛先ノードまで前記リングネットワークを通過する最適なルーティング経路をルータが決定することができるように、前記リングネットワークを有する通信ネットワークのルータに前記ＴＥ関連属性を分配するように配置されたプロセッサとを備えることを特徴とする装置。
【請求項１０】
前記通信ネットワークが、マルチプロトコルラベルスイッチング（ＭＰＬＳ）ネットワークを有し、前記最適なルーティング経路が、ラベルスイッチ経路（ＬＳＰ）を有する請求項９に記載の装置。
【請求項１１】
前記リングノードに接続される前記リングネットワークの前記一部が、少なくとも１つの隣接リングノードを有し、前記プロセッサは、
一方の前記単方向リングレットを介した前記リングノードから前記隣接リングノードへの接続を表現する第１のポイントツーポイントリンクと、
もう一方の前記単方向リングレットを介した前記リングノードから前記隣接リングノードへの接続を表現する第２のポイントツーポイントリンクと、
一方の前記単方向リングレットを介した前記隣接リングノードから前記リングノードへの接続を表現する第３のポイントツーポイントリンクと、
もう一方の前記単方向リングレットを介した前記隣接リングノードから前記リングノードへの接続を表現する第４のポイントツーポイントリンクとを規定することによって、前記隣接リングノードへの前記リングノードの接続性を表現するように配置されている請求項９に記載の装置。
【請求項１２】
リンクに関連する前記ＴＥ関連属性が、
前記リンクの最大帯域幅と、
前記リンクの最大保存可能帯域幅と、
前記リンク中で現在利用可能な帯域幅と、
前記リンクにより使用されるリングレットを表示する識別子と、
前記リンクが通過するホップの数と、
前記リンク上の往復時間（ＲＴＴ）の推定と、
前記リンク上のルーティング経路を通過するＴＥ関連コストを表示するトラフィックメトリックと、
ポリシー関連属性と、
前記リンクの管理連携部との少なくとも１つを有する請求項９に記載の装置。
【請求項１３】
前記プロセッサが、マスタリングノードとして機能する前記リングネットワーク内の別のリングノードから前記ＴＥ関連属性の少なくとも一部の最新の値を取得するように配置されている請求項９に記載の装置。
【請求項１４】
前記プロセッサが、オープンショーテストパスファーストトラフィック工学（ＯＳＰＦ−ＴＥ）プロトコルを送信することによって、前記ポイントツーポイントリンクをアドバタイジングするように配置されている請求項９に記載の装置。
【請求項１５】
前記プロセッサが、前記ＴＥ関連属性に応じて、前記リングネットワークを通過する前記最適なルーティング経路の一部に沿って前記リングネットワークの資源を割り当てるように配置されている請求項９に記載の装置。